【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
シンジオタクティックプロピレン重合体（Ａ）  １０〜９５重量部と、
プロピレン・α-オレフィン共重合体（Ｂ）  ９０〜５重量部（ただし、（Ａ）と（Ｂ
）との合計を１００重量部とする）と
を含んでなり、該重合体（Ａ）が下記要件（ａ）を、該共重合体（Ｂ）が下記要件（ｂ）をそれぞれ充足するプロピレン系重合体組成物（Ｘ）；
（ａ）：13Ｃ-ＮＭＲにより測定されるシンジオタクティックペンタッド分率（rrrr分率
）が８５％以上でありかつＤＳＣより求められる融点（Ｔｍ）が１４５℃以上であり、プロピレンから導かれる構成単位を９０モル％（ただし、該重合体（Ａ）中の構成単位の全量を１００モル％とする。）を超える量で含有する、
（ｂ）：プロピレンから導かれる構成単位を５５〜９０モル％（ただし、該共重合体（Ｂ）中の構成単位の全量を１００モル％とする。）の量で含有し、炭素原子数２〜２０のα-オレフィン（プロピレンを除く）から選ばれる少なくとも１種のオレフィンから導かれ
る構成単位を１０〜４５モル％（ただし、プロピレンから導かれる構成単位と炭素数２〜２０のα−オレフィン（ただしプロピレンを除く）から導かれる構成単位との合計を１００モル％とする）の量で含有し、ＪＩＳ  Ｋ−６７２１に準拠して２３０℃、２.１６ｋ
ｇ荷重にて測定したＭＦＲが０．０１〜１００ｇ／１０分の範囲にあり、かつ下記要件（ｂ−１）または（ｂ−２）のいずれか一つ以上を満たす；
（ｂ−１）：13Ｃ-ＮＭＲ法により測定したシンジオタクティックトライアッド分率（rr
分率）が６０％以上である、
（ｂ−２）：１３５℃デカリン中で測定した極限粘度［η］（ｄＬ／ｇ）と前記ＭＦＲ（ｇ／１０分、２３０℃、２．１６ｋｇ荷重）とが下記の関係式を満たす。
１.５０×ＭＦＲ(-0.20)≦[η]≦２.６５×ＭＦＲ(-0.20)
【請求項２】
（Ａ）シンジオタクティックプロピレン重合体を５０重量部以上９５重量部以下と、
（Ｂ）プロピレン・α-オレフィン共重合体を５重量部以上５０重量部以下（ここで（Ａ
）と（Ｂ）の合計を１００重量部とする）と
を含んでなる請求項１記載のプロピレン系重合体組成物（Ｘ）。
【請求項３】
（Ａ）シンジオタクティックプロピレン重合体が１０重量部以上５０重量部未満と、
（Ｂ）プロピレン・α-オレフィン共重合体が５０重量部を超えて９０重量部以下（ここ
で（Ａ）と（Ｂ）の合計を１００重量部とする）と
を含んでなる請求項１記載のプロピレン系重合体組成物（Ｘ）。
【請求項４】
（１）示差走査型熱量計で求めた１１０℃での等温結晶化における半結晶化時間（ｔ1/2
）が１０００ｓｅｃ以下の範囲にある
請求項１〜３のいずれかに記載のプロピレン系重合体組成物（Ｘ）。
【請求項５】
（２）針侵入温度が１４５℃以上である
請求項１〜４のいずれかに記載のプロピレン系重合体組成物（Ｘ）。
【請求項６】
（２）針侵入温度が１４５℃以上であり、
（３）０℃のアイゾット衝撃強度が５０Ｊ／ｍ以上であり、
（４）引張り弾性率が１００ＭＰａ〜２０００ＭＰａの範囲にあり、
（５）厚さ１ｍｍのプレスシートの内部ヘイズ値が５０％以下である
請求項２、４または５のいずれかに記載のプロピレン系重合体組成物（Ｘ）。
【請求項７】
（２）針侵入温度が１４５℃以上であり、
（４）引張り弾性率が１〜４００ＭＰａの範囲にあり、
（５）厚さ１ｍｍのプレスシートの内部ヘイズ値が３０％以下である
請求項３、４または５のいずれかに記載のプロピレン系重合体組成物（Ｘ）。
【請求項８】
前記シンジオタクティックプロピレン重合体（Ａ）は、１３５℃デカリン中で測定した極限粘度［η］が０．１〜１０ｄＬ／ｇの範囲にあり、示差走査熱量計（ＤＳＣ）測定により求めた融解熱量（ΔＨ）が４０ｍＪ／ｍｇ以上である請求項１〜７の何れかに記載のプロピレン系重合体組成物（Ｘ）。
【請求項９】
前記プロピレン・α-オレフィン共重合体（Ｂ）は、ＧＰＣにより求めた分子量分布（
Ｍｗ／Ｍｎ、Ｍｎ：数平均分子量、Ｍｗ：重量平均分子量）が３．５以下である請求項１〜７の何れかに記載のプロピレン系重合体組成物（Ｘ）。
【請求項１０】
プロピレンから導かれる構成単位を９９．７〜７０．０モル％
炭素原子数２〜２０のα-オレフィン（プロピレンを除く）から導かれる構成単位を０
．３〜３０．０モル％含有し（ここで炭素原子数２〜２０のα-オレフィン（プロピレン
を含む）から導かれる構成単位を１００モル％とする）、
（２）針侵入温度が１４５℃以上であり、かつ
（３）０℃のアイゾット衝撃強度が５０Ｊ／ｍ以上であり、
（４）引張り弾性率が１００ＭＰａ〜２０００ＭＰａ以上であり、
（５）厚さ１ｍｍのプレスシートの内部ヘイズ値が５０％以下
である組成物であって、該組成物の室温デカン不溶部のｒｒｒｒ分率が８５％以上であるプロピレン系重合体組成物（Ｙ）。
【請求項１１】
プロピレンから導かれる構成単位を９５．０〜５５．０モル％
炭素原子数２〜２０のα-オレフィン（プロピレンを除く）から導かれる構成単位を５
．０〜４５．０モル％含有し（ここで炭素原子数２〜２０のα-オレフィン（プロピレン
を含む）から導かれる構成単位の合計を１００モル％とする）、
（２）針侵入温度が１４５℃以上であり、かつ
（４）引張り弾性率が１〜４００ＭＰａの範囲にある
（５）厚さ１ｍｍのプレスシートの内部ヘイズ値が３０％以下
である組成物であって、該組成物の室温デカン不溶部のｒｒｒｒ分率が８５％以上であるプロピレン系重合体組成物（Ｚ）。
【請求項１２】
シンジオタクティックプロピレン重合体（Ａ１）  １〜６５重量部と、
プロピレン・α-オレフィン共重合体（Ｂ１）  ９９〜３５重量部（ただし、（Ａ１）
と（Ｂ１）との合計を１００重量部とする）と
を含んでなり、該重合体（Ａ１）が下記要件（ａ１）を、該共重合体（Ｂ１）が下記要件（ｂ１）をそれぞれ充足するプロピレン系重合体組成物（Ｗ）からなるペレット；
（ａ１）：13Ｃ-ＮＭＲにより測定されるシンジオタクティックペンタッド分率（rrrr分
率）が８５％以上でありかつＤＳＣより求められる融点（Ｔｍ）が１４５℃以上であり、プロピレンから導かれる構成単位を９０モル％（ただし、該重合体（Ａ１）中の構成単位の全量を１００モル％とする。）を超える量で含有する、
（ｂ１）：プロピレンから導かれる構成単位を５５〜９０モル％（ただし、該共重合体（Ｂ１）中の構成単位の全量を１００モル％とする。）の量で含有し、炭素原子数２〜２０のα-オレフィン（プロピレンを除く）から選ばれる少なくとも１種のオレフィンから導
かれる構成単位を１０〜４５モル％（ただし、プロピレンから導かれる構成単位と炭素数２〜２０のα−オレフィン（ただしプロピレンを除く）から導かれる構成単位との合計を１００モル％とする）の量で含有し、ＪＩＳ  Ｋ−６７２１に準拠して２３０℃、２．１６ｋｇ荷重にて測定したＭＦＲが０．０１〜１００ｇ／１０分の範囲にあり、かつ下記要件（ｂ１−１）または（ｂ１−２）のいずれか一つ以上を満たす；
（ｂ１−１）：13Ｃ-ＮＭＲ法により測定したシンジオタクティックトライアッド分率（rr分率）が６０％以上である、
（ｂ１−２）：１３５℃デカリン中で測定した極限粘度［η］（ｄＬ／ｇ）と、前記ＭＦＲ（ｇ／１０分、２３０℃、２．１６ｋｇ荷重）とが下記の関係式を満たす。
１.５０×ＭＦＲ (-0.20)≦[η]≦２.６５×ＭＦＲ(-0.20)
【請求項１３】
請求項１２に記載のプロピレン系重合体組成物のペレットからなる熱可塑性重合体用改質材。
【請求項１４】
熱可塑性重合体と、請求項１３に記載の熱可塑性重合体用改質材とを混練する熱可塑性重合体組成物の製造方法。
【請求項１５】
熱可塑性重合体がオレフィン系重合体であることを特徴とする請求項１４に記載の熱可塑性重合体組成物の製造方法。
【請求項１６】
前記熱可塑性重合体用改質材と、さらに必要量の前記（Ａ）シンジオタクティックプロピレン重合体、必要に応じて他の重合体（（Ａ）シンジオタクティックプロピレン重合体、および（Ｂ）プロピレン・α-オレフィン共重合体を除く）、および必要に応じて添加
剤とを溶融混練して、
シンジオタクティックプロピレン重合体（Ａ）  １０〜９５重量部と
プロピレン・α-オレフィン共重合体（Ｂ）  ９０〜５重量部（ただし、（Ａ２）と（
Ｂ２）の合計を１００重量部とする）と
を含んでなり、該重合体（Ａ）が下記要件（ａ）を、該共重合体（Ｂ）が下記要件（ｂ）をそれぞれ充足するプロピレン系重合体組成物（Ｘ）を製造する請求項１４記載の熱可塑性重合体組成物の製造方法；
（ａ）：13Ｃ-ＮＭＲにより測定されるシンジオタクティックペンタッド分率（rrrr分率
）が８５％以上でありかつＤＳＣより求められる融点（Ｔｍ）が１４５℃以上であり、プロピレンから導かれる構成単位を９０モル％（ただし、該重合体（Ａ）中の構成単位の全量を１００モル％とする。）を超える量で含有する、
（ｂ）：プロピレンから導かれる構成単位を５５〜９０モル％（ただし、該共重合体（Ｂ）中の構成単位の全量を１００モル％とする。）の量で含有し、炭素原子数２〜２０のα-オレフィン（プロピレンを除く）から選ばれる少なくとも１種のオレフィンから導かれ
る構成単位を１０〜４５モル％（ただし、プロピレンから導かれる構成単位と炭素数２〜
２０のα−オレフィン（ただしプロピレンを除く）から導かれる構成単位との合計を１００モル％とする）の量で含有し、ＪＩＳ  Ｋ−６７２１に準拠して２３０℃、２．１６ｋｇ荷重にて測定したＭＦＲが０．０１〜１００ｇ／１０分の範囲にあり、かつ下記要件（ｂ−１）または（ｂ−２）のいずれか一つ以上を満たす；
（ｂ−１）：13Ｃ-ＮＭＲ法により測定したシンジオタクティックトライアッド分率（rr
分率）が６０％以上である、
（ｂ−２）：１３５℃デカリン中で測定した極限粘度［η］（ｄＬ／ｇ）と前記ＭＦＲ（ｇ／１０分、２３０℃、２．１６ｋｇ荷重）とが下記の関係式を満たす。
１.５０×ＭＦＲ(-0.20)≦[η]≦２.６５×ＭＦＲ(-0.20)
【請求項１７】
請求項１〜１１のいずれかに記載のプロピレン系重合体組成物または請求項１２に記載のペレットを用いてなる成形体。
【請求項１８】
請求項１〜１１のいずれかに記載のプロピレン系重合体組成物または請求項１２に記載のペレットを用いてなるシート。
【請求項１９】
請求項１〜１１のいずれかに記載のプロピレン系重合体組成物または請求項１２に記載のペレットを用いてなる未延伸または延伸フィルム。
【請求項２０】
少なくとも１層が請求項１〜１１のいずれかに記載のプロピレン系重合体組成物を含有してなる層である積層体。
【請求項２１】
請求項１〜１１のいずれかに記載のプロピレン系重合体組成物または請求項１２に記載のペレットを用いてなる不織布。
【手続補正２】
【補正対象書類名】明細書
【補正対象項目名】００１４
【補正方法】変更
【補正の内容】
【００１４】
本発明のプロピレン系重合体組成物（Ｘ）は、
シンジオタクティックプロピレン重合体（Ａ）  １０〜９５重量部と、
プロピレン・α-オレフィン共重合体（Ｂ）  ９０〜５重量部（ただし、（Ａ）と（Ｂ
）との合計を１００重量部とする）と
を含んでなり、該重合体（Ａ）が下記要件（ａ）を、該共重合体（Ｂ）が下記要件（ｂ）をそれぞれ充足するプロピレン系重合体組成物である；
（ａ）：13Ｃ-ＮＭＲにより測定されるシンジオタクティックペンタッド分率（rrrr分率
）が８５％以上でありかつＤＳＣより求められる融点（Ｔｍ）が１４５℃以上であり、プロピレンから導かれる構成単位を９０モル％（ただし、該重合体（Ａ）中の構成単位の全量を１００モル％とする。）を超える量で含有する、
（ｂ）：プロピレンから導かれる構成単位を５５〜９０モル％（ただし、該共重合体（Ｂ）中の構成単位の全量を１００モル％とする。）の量で含有し、炭素原子数２〜２０のα-オレフィン（プロピレンを除く）から選ばれる少なくとも１種のオレフィンから導かれ
る構成単位を１０〜４５モル％（ただし、プロピレンから導かれる構成単位と炭素数２〜２０のα−オレフィン（ただしプロピレンを除く）から導かれる構成単位との合計を１００モル％とする）の量で含有し、ＪＩＳ  Ｋ−６７２１に準拠して２３０℃、２.１６ｋ
ｇ荷重にて測定したＭＦＲが０．０１〜１００ｇ／１０分の範囲にあり、かつ下記要件（ｂ−１）または（ｂ−２）のいずれか一つ以上を満たす；
（ｂ−１）：13Ｃ-ＮＭＲ法により測定したシンジオタクティックトライアッド分率（rr
分率）が６０％以上である、
（ｂ−２）：１３５℃デカリン中で測定した極限粘度［η］（ｄＬ／ｇ）と前記ＭＦＲ（ｇ／１０分、２３０℃、２．１６ｋｇ荷重）とが下記の関係式を満たす。
【手続補正３】
【補正対象書類名】明細書
【補正対象項目名】００２０
【補正方法】変更
【補正の内容】
【００２０】
前記プロピレン系重合体組成物（Ｘ）、組成物（ｉ）および（ii）において、前記プロピレン・α-オレフィン共重合体（Ｂ）は、ＧＰＣにより求めた分子量分布（Ｍｗ／Ｍｎ
、Ｍｎ：数平均分子量、Ｍｗ：重量平均分子量）が３．５以下であることが好ましい。
【手続補正４】
【補正対象書類名】明細書
【補正対象項目名】００２１
【補正方法】変更
【補正の内容】
【００２１】
本発明の他の態様に係るプロピレン系重合体組成物（Ｙ）は、
プロピレンから導かれる構成単位を９９．７〜７０．０モル％、
炭素原子数２〜２０のα-オレフィン（プロピレンを除く）から導かれる構成単位を０
．３〜３０．０モル％含有し（ここで炭素原子数２〜２０のα-オレフィン（プロピレン
を含む）から導かれる構成単位を１００モル％とする）、
（２）針侵入温度が１４５℃以上、
（３）０℃のアイゾット衝撃強度が５０Ｊ／ｍ以上、
（４）引張り弾性率が１００ＭＰａ〜２０００ＭＰａの範囲、
（５）厚さ１ｍｍプレスシートの内部ヘイズ値が５０％以下であり、
該組成物（Ｙ）の室温デカン不溶部のｒｒｒｒ分率は８５％以上である。
【手続補正５】
【補正対象書類名】明細書
【補正対象項目名】００２２
【補正方法】変更
【補正の内容】
【００２２】
また本発明のさらに他の態様に係るプロピレン系重合体組成物（Ｚ）は、
プロピレンから導かれる構成単位を９５．０〜５５．０モル％、
炭素原子数２〜２０のα-オレフィン（ただしプロピレンを除く）から導かれる構成単
位を５．０〜４５．０モル％含有し（ここで炭素原子数２〜２０のα-オレフィン（プロ
ピレンを含む）から導かれる構成単位の合計を１００モル％とする）、
（２）針侵入温度が１４５℃以上、
（３）引っ張り弾性率が１ＭＰａ〜４００ＭＰａ以下、
（５）厚さ１ｍｍプレスシートの内部ヘイズ値が３０％以下であり、
該組成物（Ｚ）の室温デカン不溶部のｒｒｒｒ分率は８５％以上である。
【手続補正６】
【補正対象書類名】明細書
【補正対象項目名】００２４
【補正方法】変更
【補正の内容】
【００２４】
１.５０×ＭＦＲ (-0.20)≦[η]≦２.６５×ＭＦＲ(-0.20)
本発明の熱可塑性重合体用改質剤は、前記ペレットからなる。
本発明の熱可塑性重合体組成物の製造方法は、前記熱可塑性重合体用改質剤と、熱可塑性重合体とを混練することを特徴としている。
本発明の成形体は前記プロピレン系重合体組成物（Ｘ）、（Ｙ）もしくは（Ｚ）または前記ペレットを用いてなる。
本発明のシートは前記プロピレン系重合体組成物（Ｘ）、（Ｙ）もしくは（Ｚ）または前記ペレットを用いてなる。
本発明の未延伸または延伸フィルムは前記プロピレン系重合体組成物（Ｘ）、（Ｙ）もしくは（Ｚ）または前記ペレットを用いてなる。
本発明の積層体は、少なくともその１層が前記プロピレン系重合体組成物（Ｘ）、（Ｙ）または（Ｚ）を含有してなる層である積層体である。
本発明の不織布は前記プロピレン系重合体組成物（Ｘ）、（Ｙ）もしくは（Ｚ）または前記ペレットを用いてなる。